(57)【特許請求の範囲】
【請求項１】
多ビットの第１データ信号を出力する第１ラッチと、 前記第１ラッチに新たにラッチされた前記第１データ信号をビット単位で複数回に分けてラッチすることにより第２データ信号を出力する第２ラッチと、  前記第２データ信号を前記ビット単位の複数回のラッチ毎にアナログ信号に変換するＤＡＣと、  前記アナログ信号の入力を受けてソース信号を出力するアンプと、  を有し、  前記第１ラッチに新たにラッチされた前記第１データ信号について前記ソース信号を時間的にゆるやかに変化させることを特徴とするソースドライバ。
【請求項２】
前記第２ラッチは、ラッチ動作期間の少なくとも一部で、前記第１データ信号を１クロック毎に１ビットずつラッチすることを特徴とする請求項１に記載のソースドライバ。
【請求項３】
多ビットの第１データ信号を出力する第１ラッチと、  前記第１データ信号をビット単位で複数回に分けてラッチすることにより第２データ信号を出力する第２ラッチと、  前記第２データ信号をアナログ信号に変換するＤＡＣと、  前記アナログ信号の入力を受けてソース信号を出力するアンプと、  を有し、  前記第２ラッチは、ラッチ動作期間の少なくとも一部で、前記第１データ信号を複数クロック毎に１ビットずつラッチすることを特徴とするソースドライバ。
【請求項４】
多ビットの第１データ信号を出力する第１ラッチと、  前記第１データ信号をビット単位で複数回に分けてラッチすることにより第２データ信号を出力する第２ラッチと、  前記第２データ信号をアナログ信号に変換するＤＡＣと、  前記アナログ信号の入力を受けてソース信号を出力するアンプと、  を有し、  前記第２ラッチは、ラッチ動作期間の少なくとも一部で、前記第１データ信号を１クロック毎に複数ビットずつラッチし、  前記第２ラッチは、前記第１データ信号の各ビットのうち、未ラッチの最上位ビットと最下位ビットを同時にラッチすることを特徴とするソースドライバ。
【請求項５】
多ビットの第１データ信号を出力する第１ラッチと、  前記第１データ信号をビット単位で複数回に分けてラッチすることにより第２データ信号を出力する第２ラッチと、  前記第２データ信号をアナログ信号に変換するＤＡＣと、  前記アナログ信号の入力を受けてソース信号を出力するアンプと、  を有し、  前記第２ラッチは、ラッチ動作期間の少なくとも一部で、前記第１データ信号を複数クロック毎に複数ビットずつラッチすることを特徴とするソースドライバ。
【請求項６】
前記第２ラッチは、前記第１データ信号を、その最上位ビットから最下位ビットまで、若しくは、その最下位ビットから最上位ビットまで、順次ラッチすることを特徴とする請求項１〜請求項５のいずれかに記載のソースドライバ。
【請求項７】
前記第２ラッチは、前記第１データ信号の各ビットのうち、未ラッチの最上位ビットと最下位ビットを同時にラッチすることを特徴とする請求項５に記載のソースドライバ。
【請求項８】
前記第２ラッチは、前記第１データ信号の各ビットのうち、下位のものほど同時ラッチ数を増やすことを特徴とする請求項５に記載のソースドライバ。
【請求項９】
多ビットの第１データ信号を出力する第１ラッチと、  前記第１データ信号をビット単位で複数回に分けてラッチすることにより第２データ信号を出力する第２ラッチと、  前記第２データ信号をアナログ信号に変換するＤＡＣと、  前記アナログ信号の入力を受けてソース信号を出力するアンプと、  を有し、  前記第２ラッチは、ラッチ動作期間の少なくとも一部で、前記第１データ信号を１クロック毎に複数ビットずつラッチし、  前記第２ラッチは、前記第１データ信号の各ビットのうち、下位のものほど同時ラッチ数を増やすことを特徴とするソースドライバ。
【請求項１０】
多ビットの第１データ信号を出力する第１ラッチと、  前記第１データ信号をビット単位で複数回に分けてラッチすることにより第２データ信号を出力する第２ラッチと、  前記第２データ信号をアナログ信号に変換するＤＡＣと、  前記アナログ信号の入力を受けてソース信号を出力するアンプと、  を有し、  前記第２ラッチは、隣り合う列同士でラッチ動作の設定が異なることを特徴とするソースドライバ。
【請求項１１】
多ビットの第１データ信号を出力する第１ラッチと、  前記第１データ信号をビット単位で複数回に分けてラッチすることにより第２データ信号を出力する第２ラッチと、  前記第２データ信号をアナログ信号に変換するＤＡＣと、  前記アナログ信号の入力を受けてソース信号を出力するアンプと、  を有し、  前記第２ラッチは、ラッチ動作の設定が所定期間毎に切り替わることを特徴とすることを特徴とするのいずれかに記載のソースドライバ。
【請求項１２】
複数列の前記第２ラッチは、全列一斉にラッチ動作を開始することを特徴とする請求項１〜請求項１１のいずれかに記載のソースドライバ。
【請求項１３】
複数列の前記第２ラッチは、複数組に分けられており、各組毎にタイミングをずらしてラッチ動作を開始することを特徴とする請求項１〜請求項１１のいずれかに記載のソースドライバ。
【請求項１４】
多ビットの第１データ信号を出力する第１ラッチと、  前記第１データ信号をビット単位で複数回に分けてラッチすることにより第２データ信号を出力する第２ラッチと、  前記第２データ信号をアナログ信号に変換するＤＡＣと、  前記アナログ信号の入力を受けてソース信号を出力するアンプと、  を有し、  複数列の前記第２ラッチは、複数組に分けられており、各組毎にタイミングをずらしてラッチ動作を開始し、  各組のラッチ動作期間は、前後の組同士でその一部が重複していることを特徴とするソースドライバ。
【請求項１５】
画像データや制御コマンドの入力を受け付けるインタフェイスと、  装置各部のタイミング制御を行うタイミングコントローラと、  ソース信号を出力する請求項１〜請求項１４のいずれかに記載のソースドライバと、  ゲート信号を出力するゲートドライバと、  前記制御コマンドを格納するコマンドレジスタと、  を有することを特徴とするパネル駆動装置。
【請求項１６】
請求項１５に記載のパネル駆動装置と、  前記パネル駆動装置によって駆動される表示パネルと、  前記パネル駆動装置に画像データや制御コマンドを送出するホストコントローラと、  を有することを特徴とする表示装置。
【請求項１７】
請求項１６に記載の表示装置を有することを特徴とする車両。
【発明の詳細な説明】
【技術分野】
【０００１】  本明細書中に開示されている発明は、ソースドライバに関する。
【背景技術】
【０００２】  近年、電子機器の高機能化、高速化、ないしは、高集積化に伴い、これに搭載されたＩＣ［integrated  circuit］やＬＳＩ［large-scale  integration］から放射される不要な電磁波（いわゆるＥＭＩ［electromagnetic  interference］）が問題となっている。【０００３】  なお、上記に関連する従来技術の一例としては、特許文献１を挙げることができる。
【先行技術文献】
【特許文献】
【０００４】
【特許文献１】特開２００９−３００８６６号公報
【発明の概要】
【発明が解決しようとする課題】
【０００５】  例えば、液晶表示パネルを駆動するドライバＩＣでは、複数列のソース出力値が一斉に変化するタイミングで、ＥＭＩのピークが存在すると考えられる。特に、最近では、液晶表示パネルの高精細化が進む一方であり、ドライバＩＣにおけるソース出力本数の増加に伴い、ＥＭＩのピークがより顕著に発生する状態となっている。【０００６】  このような状況の下、民生機器に搭載されるＬＳＩはもちろんのこと、特に、車載機器や産業機器に搭載されるＬＳＩに対しては、ＥＭＩに関する厳しい国際規格が存在し、その基準を満たしていないものは、機器への搭載が許されない。【０００７】  本明細書中に開示されている発明は、本願の発明者らにより見出された上記の課題に鑑み、表示パネルの高精細化に対応しつつＥＭＩのピークを抑えることのできるパネル駆動装置、及び、これに用いられるソースドライバを提供することを目的とする。
【課題を解決するための手段】
【０００８】  本明細書中に開示されているソースドライバは、多ビットの第１データ信号を出力する第１ラッチと、前記第１データ信号をビット単位で複数回に分けてラッチすることにより第２データ信号を出力する第２ラッチと、前記第２データ信号をアナログ信号に変換するＤＡＣ［digital-to-analog  convertor］と、前記アナログ信号の入力を受けてソース信号を出力するアンプを有する構成（第１の構成）とされている。【０００９】  なお、上記第１の構成から成るソースドライバにおいて、前記第２ラッチは、ラッチ動作期間の少なくとも一部で、前記第１データ信号を１クロック毎に１ビットずつラッチする構成（第２の構成）にするとよい。【００１０】  また、上記第１又は第２の構成から成るソースドライバにおいて、前記第２ラッチは、ラッチ動作期間の少なくとも一部で、前記第１データ信号を複数クロック毎に１ビットずつラッチする構成（第３の構成）にするとよい。【００１１】  また、上記第１〜第３いずれかの構成から成るソースドライバにおいて、前記第２ラッチは、ラッチ動作期間の少なくとも一部で、前記第１データ信号を１クロック毎に複数ビットずつラッチする構成（第４の構成）にするとよい。【００１２】  また、上記第１〜第４いずれかの構成から成るソースドライバにおいて、前記第２ラッチは、ラッチ動作期間の少なくとも一部で、前記第１データ信号を複数クロック毎に複数ビットずつラッチする構成（第５の構成）にするとよい。【００１３】  また、上記第１〜第５いずれかの構成から成るソースドライバにおいて、前記第２ラッチは、前記第１データ信号を、その最上位ビットから最下位ビットまで、若しくは、その最下位ビットから最上位ビットまで、順次ラッチする構成（第６の構成）にするとよい。【００１４】  また、上記第４又は第５の構成から成るソースドライバにおいて、前記第２ラッチは、前記第１データ信号の各ビットのうち、未ラッチの最上位ビットと最下位ビットを同時にラッチする構成（第７の構成）にするとよい。【００１５】  また、上記第４又は第５の構成から成るソースドライバにおいて、前記第２ラッチは、前記第１データ信号の各ビットのうち、下位のものほど同時ラッチ数を増やす構成（第８の構成）にするとよい。【００１６】  また、上記第１〜第８いずれかの構成から成るソースドライバにおいて、前記第２ラッチは、隣り合う列同士でラッチ動作の設定が異なる構成（第９の構成）にするとよい。【００１７】  また、上記第１〜第９いずれかの構成から成るソースドライバにおいて、前記第２ラッチは、ラッチ動作の設定が所定期間毎に切り替わる構成（第１０の構成）にするとよい。【００１８】  また、上記第１〜第１０いずれかの構成から成るソースドライバにおいて、複数列の前記第２ラッチは、全列一斉にラッチ動作を開始する構成（第１１の構成）にするとよい。【００１９】  また、上記第１〜第１０いずれかの構成から成るソースドライバにおいて、複数列の前記第２ラッチは、複数組に分けられており、各組毎にタイミングをずらしてラッチ動作を開始する構成（第１２の構成）にするとよい。【００２０】  また、上記第１２の構成から成るソースドライバにおいて、各組のラッチ動作期間は、前後の組同士でその一部が重複している構成（第１３の構成）にするとよい。【００２１】  また、本明細書中に開示されているパネル駆動装置は、画像データや制御コマンドの入力を受け付けるインタフェイスと、装置各部のタイミング制御を行うタイミングコントローラと、ソース信号を出力する上記第１〜第１３いずれかの構成から成るソースドライバと、ゲート信号を出力するゲートドライバと、前記制御コマンドを格納するコマンドレジスタと、を有する構成（第１４の構成）とされている。【００２２】  また、本明細書中に開示されている表示装置は、上記第１４の構成から成るパネル駆動装置と、前記パネル駆動装置によって駆動される表示パネルと、前記パネル駆動装置に画像データや制御コマンドを送出するホストコントローラとを有する構成（第１５の構成）とされている。【００２３】  また、本明細書中に開示されている車両は、上記第１５の構成から成る表示装置を有する構成（第１６の構成）とされている。
【発明の効果】
【００２４】  本明細書中に開示されている発明によれば、表示パネルの高精細化に対応しつつＥＭＩのピークを抑えることのできるパネル駆動装置、及び、これに用いられるソースドライバを提供することが可能となる。
【図面の簡単な説明】
【００２５】
【図１】表示装置の全体構成を示すブロック図
【図２】ソースドライバの第１基本動作（一斉ラッチ動作）を示す図
【図３】第１比較例（１クロック全ビット、００ｈ→ＦＦｈ）におけるソース信号の出力波形を示す図
【図４】第２比較例（１クロック全ビット、ＦＦｈ→００ｈ）におけるソース信号の出力波形を示す図
【図５】ソースドライバの要部構成を示すブロック図
【図６】第１実施例（１クロック１ビット（ＭＳＢ→ＬＳＢ）、００ｈ→ＦＦｈ）における第２データ信号の階調値を示す図
【図７】第１実施例（１クロック１ビット（ＭＳＢ→ＬＳＢ）、００ｈ→ＦＦｈ）におけるソース信号の出力波形を示す図
【図８】第２実施例（１クロック１ビット（ＬＳＢ→ＭＳＢ）、００ｈ→ＦＦｈ）における第２データ信号の階調値を示す図
【図９】第２実施例（１クロック１ビット（ＬＳＢ→ＭＳＢ）、００ｈ→ＦＦｈ）におけるソース信号の出力波形を示す図
【図１０】第３実施例（１クロック１ビット（ＬＳＢ→ＭＳＢ）、ＦＦｈ→００ｈ）における第２データ信号の階調値を示す図
【図１１】第３実施例（１クロック１ビット（ＬＳＢ→ＭＳＢ）、ＦＦｈ→００ｈ）におけるソース信号の出力波形を示す図
【図１２】第４実施例（１クロック１ビット（ＭＳＢ→ＬＳＢ）、ＦＦｈ→００ｈ）における第２データ信号の階調値を示す図
【図１３】第４実施例（１クロック１ビット（ＭＳＢ→ＬＳＢ）、ＦＦｈ→００ｈ）におけるソース信号の出力波形を示す図
【図１４】第５実施例（２クロック１ビット（ＭＳＢ→ＬＳＢ）、００ｈ→ＦＦｈ）における第２データ信号の階調値を示す図
【図１５】第５実施例（２クロック１ビット（ＭＳＢ→ＬＳＢ）、００ｈ→ＦＦｈ）におけるソース信号の出力波形を示す図
【図１６】第６実施例（２クロック１ビット（ＬＳＢ→ＭＳＢ）、００ｈ→ＦＦｈ）における第２データ信号の階調値を示す図
【図１７】第６実施例（２クロック１ビット（ＬＳＢ→ＭＳＢ）、００ｈ→ＦＦｈ）におけるソース信号の出力波形を示す図
【図１８】第７実施例（１クロック２ビット（ＭＳＢ→ＬＳＢ）、００ｈ→ＦＦｈ）における第２データ信号の階調値を示す図
【図１９】第７実施例（１クロック２ビット（ＭＳＢ→ＬＳＢ）、００ｈ→ＦＦｈ）におけるソース信号の出力波形を示す図
【図２０】第８実施例（１クロック２ビット（ＬＳＢ→ＭＳＢ）、００ｈ→ＦＦｈ）における第２データ信号の階調値を示す図
【図２１】第８実施例（１クロック２ビット（ＬＳＢ→ＭＳＢ）、００ｈ→ＦＦｈ）におけるソース信号の出力波形を示す図
【図２２】第９実施例（１クロック２ビット（０，７→１，６→２，５→３，４）、００ｈ→ＦＦｈ）における第２データ信号の階調値を示す図
【図２３】第９実施例（１クロック２ビット（０，７→１，６→２，５→３，４）、００ｈ→ＦＦｈ）におけるソース信号の出力波形を示す図
【図２４】第１０実施例（１クロック１ビットまたは１クロック３ビット（７→６→３，４，５→０，１，２）、００ｈ→ＦＦｈ）における第２データ信号の階調値を示す図
【図２５】第１０実施例（１クロック１ビットまたは１クロック３ビット（７→６→３，４，５→０，１，２）、００ｈ→ＦＦｈ）におけるソース信号の出力波形を示す図
【図２６】設定切替制御の一例を示す図
【図２７】ソースドライバの第２基本動作（時分割ラッチ動作）を示す図
【図２８】第１の時分割ラッチ動作を示す図
【図２９】第２の時分割ラッチ動作を示す図
【図３０】車載ディスプレイを備えた車両の要部構成を示す図
【発明を実施するための形態】
【００２６】＜表示装置＞  図１は、表示装置の全体構成を示すブロック図である。本構成例の表示装置１は、パネル駆動装置１００と、表示パネル２００と、ホストコントローラ３００と、を有する。
【００２７】  パネル駆動装置１００は、ホストコントローラ３００から入力される画像データ（＝階調データ）や制御コマンドに基づいて表示パネル２００の駆動制御を行う。
【００２８】  表示パネル２００は、液晶素子や有機ＥＬ［electro-luminescence］素子などを画素として用いた映像出力手段であり、パネル駆動装置１００により駆動される。
【００２９】  ホストコントローラ３００は、表示装置１の動作を統括的に制御する主体であり、例えば、パネル駆動装置１００に画像データや制御コマンドを送出する。ホストコントローラ３００としては、ＭＰＵ［micro  processing  unit］などを好適に用いることができる。
【００３０】＜パネル駆動装置＞  引き続き、図１を参照しながら、パネル駆動装置１００について詳述する。パネル駆動装置１００は、インタフェイス１１０、タイミングコントローラ１２０、ソースドライバ１３０、ゲートドライバ１４０、並びに、コマンドレジスタ１５０などを集積化して成る半導体集積回路装置（いわゆるドライバＩＣ）である。
【００３１】  インタフェイス１１０は、ホストコントローラ３００との間でシリアル通信を行うためのフロントエンドであり、例えば、画像データや制御コマンドなどの入力を受け付ける。
【００３２】  タイミングコントローラ１２０は、コマンドレジスタ１５０に格納された制御コマンドに基づいて、各種のデータ処理（画像データの並べ替え処理など）を行ったり、各種のタイミング制御（ソースドライバ１３０の水平同期制御やゲートドライバ１４０の垂直同期制御など）を行ったりする。
【００３３】  ソースドライバ１３０は、タイミングコントローラ１２０から入力される画像データ、水平同期信号、並びに、クロック信号に基づいて、Ｎ列（ただしＮ≧２）のソース信号Ｓ（１）〜Ｓ（Ｎ）を出力する。なお、表示パネル２００がアクティブマトリクス型の液晶表示パネルである場合、ソース信号Ｓ（１）〜Ｓ（Ｎ）は、それぞれ、各列の液晶素子に接続されたアクティブ素子（例えばＴＦＴ［thin  film  transistor］）のソース端子に供給される。
【００３４】  ゲートドライバ１４０は、タイミングコントローラ１２０から入力される垂直同期信号に基づいて、Ｍ行（ただしＭ≧２）のゲート信号Ｇ（１）〜Ｇ（Ｍ）を出力する。なお、表示パネル２００がアクティブマトリクス型の液晶表示パネルである場合、ゲート信号Ｇ（１）〜Ｇ（Ｍ）は、それぞれ、各行の液晶素子に接続されたアクティブ素子（例えばＴＦＴ）のゲート端子に供給される。
【００３５】  コマンドレジスタ１５０は、ホストコントローラ３００からインタフェイス１１０を介して入力された制御コマンドを格納する。
【００３６】  なお、パネル駆動装置１００には、上記した回路ブロック１１０〜１５０以外にも、ＤＣ／ＤＣコンバータ、チャージポンプ、コモン電圧生成部、及び、ガンマ電圧生成部など（いずれも不図示）が集積化されている。ただし、これらの回路ブロックについては、周知の技術を適用すれば足りるので、詳細な説明を割愛する。
【００３７】＜ソースドライバ（基本構成）＞  引き続き、図１を参照しながら、ソースドライバ１３０について詳述する。本構成例のソースドライバ１３０は、第１ラッチ１３１（＊）と、第２ラッチ１３２（＊）と、ＤＡＣ１３３（＊）と、アンプ１３４（＊）と、を含む（ただし＊＝１、２、…、Ｎであり、図中では各ブロックの左上部に付記、以下も同様）。
【００３８】  第１ラッチ１３１（＊）は、タイミングコントローラ１２０を介して入力されるｘビット（例えばｘ＝８）の画像データＤ０（＊）をラッチすることにより、ｘビットの第１データ信号Ｄ１（＊）を出力する。
【００３９】  第２ラッチ１３２（＊）は、ｘビットの第１データ信号Ｄ１（＊）をラッチすることにより、ｘビットの第２データ信号Ｄ２（＊）を出力する。
【００４０】  ＤＡＣ１３３（＊）は、ｘビットの第２データ信号Ｄ２（＊）を２ｘ階調（例えば２５６階調）のアナログ信号Ａ（＊）に変換する。
【００４１】  アンプ１３４（＊）は、アナログ信号Ａ（＊）の入力を受けてソース信号Ｓ（＊）を出力する。
【００４２】＜ソースドライバ（第１基本動作）＞  図２は、ソースドライバ１３０の第１基本動作（一斉ラッチ動作）を示すタイミングチャートであり、上から順に、水平同期信号ＨＳ、第１クロック信号ＣＬＫ１（１）〜ＣＬＫ１（Ｎ）、第１ラッチ格納データ、データイネーブル信号ＤＥ、及び、第２クロック信号ＣＬＫ２が描写されている。
【００４３】  水平同期信号ＨＳは、１水平期間を指定するための信号である。第１クロック信号ＣＬＫ１（１）〜ＣＬＫ１（Ｎ）は、それぞれ、第１ラッチ１３１（１）〜１３１（Ｎ）のラッチタイミングを順次指定するための信号である。データイネーブル信号ＤＥは、第１ラッチ１３１（１）〜１３１（Ｎ）に１水平期間内の画像データが全て格納されたことを示す信号である。第２クロック信号ＣＬＫ２は、第２ラッチ１３２（１）〜１３２（Ｎ）のラッチタイミングを一括指定するための信号である。
【００４４】  本図で示したように、１水平期間内にホストコントローラ３００から転送された画像データは、タイミングコントローラ１２０での並べ替え処理などを経て、第１ラッチ１３１（１）〜１３１（Ｎ）に順次格納される。そして、１水平期間内の画像データが全て第１ラッチ１３１（１）〜１３１（Ｎ）に格納された後、その格納データが第２ラッチ１３２（１）〜１３２（Ｎ）へと移されて、第１ラッチ１３１（１）〜１３１（Ｎ）は、次の水平期間における画像データの入力待機状態となる。
【００４５】  このとき、第１ラッチ１３１（１）〜１３１（Ｎ）から第２ラッチ１３２（１）〜１３２（Ｎ）へのデータ転送は、第２クロック信号ＣＬＫ２に同期して、Ｎ列全てで一斉に実施される。そのため、画像データによっては、第２データ信号Ｄ２（１）〜Ｄ２（Ｎ）全ての階調値が一斉に変化することになる。
【００４６】  例えば、１つ前の水平期間に第２ラッチ１３２（１）〜１３２（Ｎ）で格納された第２データ信号Ｄ２（１）〜Ｄ２（Ｎ）の階調値が全て「００ｈ」（全ビット”０（Ｌ）”）であり、次の水平期間に第１ラッチ１３１（１）〜１３２（Ｎ）から転送されてくる第１データ信号Ｄ１（１）〜Ｄ１（Ｎ）の階調値が全て「ＦＦｈ」（全ビット”１（Ｈ）”）である場合、第２データ信号Ｄ２（１）〜Ｄ２（Ｎ）の階調値は、いずれも「００ｈ」から「ＦＦｈ」へと一斉に変化する。
【００４７】  そのため、何らかの対策を講じない限り、ソース信号Ｓ（１）〜Ｓ（Ｎ）の階調値が一斉に変化するので、ＥＭＩのピークが高くなってしまう。
【００４８】  以下では、第２ラッチ１３２（１）〜１３２（Ｎ）によるラッチ動作に着目し、ＥＭＩのピークが生じる原因とその解決策について説明する。
【００４９】＜比較例（＝従前のラッチ動作に相当）＞  図３は、第２ラッチ１３２（＊）によるラッチ動作の第１比較例を示す図であり、具体的に述べると、第２データ信号Ｄ２（＊）を「００ｈ」から「ＦＦｈ」に書き換える際、第２クロック信号ＣＬＫ２の１クロックに同期して第１データ信号Ｄ１（＊）を全ビット同時にラッチした場合におけるソース信号Ｓ（＊）の出力波形が示されている。本図で示したように、第１比較例のラッチ動作では、ソース信号Ｓ（＊）の階調値が「０ｄ」から「２５５ｄ」まで急峻に立ち上がる。
【００５０】  図４は、第２ラッチ１３２（＊）によるラッチ動作の第２比較例を示す図であり、具体的に述べると、第２データ信号Ｄ２（＊）を「ＦＦｈ」から「００ｈ」に書き換える際、第２クロック信号ＣＬＫ２の１クロックに同期して第１データ信号Ｄ１（＊）を全ビット同時にラッチした場合におけるソース信号Ｓ（＊）の出力波形が示されている。本図で示したように、第２比較例のラッチ動作では、ソース信号Ｓ（＊）の階調値が「２５５ｄ」から「０ｄ」まで急峻に立ち下がる。
【００５１】  このように、第１比較例ないし第２比較例のラッチ動作では、第２クロック信号ＣＬＫ２の１クロックに同期してソース信号Ｓ（＊）が初期値から最終値まで急峻に変動する。そのため、第１ラッチ１３１（１）〜１３１（Ｎ）から第２ラッチ１３２（１）〜１３２（Ｎ）へのデータ転送を全列一斉に実施すると、ソース信号Ｓ（１）〜Ｓ（Ｎ）の階調値が一斉かつ急峻に変化するので、ＥＭＩのピークが高くなってしまう。
【００５２】  なお、アンプ１３４（＊）の出力能力を落として、ソース信号Ｓ（＊）のスルーレートを引き下げれば、ソース信号Ｓ（＊）の立上り／立下りが緩やかになるので、ＥＭＩのピーク低減にも寄与し得る。しかしながら、アンプ１３４（＊）の出力調整幅は、さほど大きくないので、ソース信号Ｓ（＊）のスルーレートを広範囲に変化させることは難しい。
【００５３】  次に、ＥＭＩのピークを低減するために、第２ラッチ１３２（１）〜１３２（Ｎ）で採用されている新規なラッチ動作について詳細に説明する。
【００５４】＜ソースドライバ（要部構成）＞  図５は、ソースドライバ１３０の要部構成を示すブロック図（＝図１の破線枠αの拡大図に相当）である。なお、本図では、ソースドライバ１３０を形成する構成要素のうち、第１列目の構成要素（第１ラッチ１３１（１）、第２ラッチ１３２（１）、ＤＡＣ１３３（１）、及び、アンプ１３４（１））のみを描写したが、第２列目〜第Ｎ列目の構成要素についても、第１列目のそれと同様である。そのため、重複した説明は割愛する。
【００５５】  本図で示したように、第１ラッチ１３１（１）は、第１データ信号Ｄ１（１）として、８ビット（Ｂｉｔ０〜Ｂｉｔ７）をそれぞれ格納することができる。同様に、第２ラッチ１３２（１）は、第２データ信号Ｄ２（１）として、８ビット（Ｂｉｔ０〜Ｂｉｔ７）をそれぞれ格納することができる。
【００５６】  ここで、従前のラッチ動作（先の第１比較例または第２比較例を参照）では、第１データ信号Ｄ１（１）の全ビットが同時にラッチされていた。一方、新規なラッチ動作では、第１データ信号Ｄ１（１）がビット単位で複数回に分けてラッチされる。以下では、このようなラッチ動作について、種々の実施例を挙げながら詳述する。
【００５７】＜第１実施例＞  図６と図７は、それぞれ、第２ラッチ１３２（＊）によるラッチ動作の第１実施例を示す図であり、具体的に述べると、第２データ信号Ｄ２（＊）を「００ｈ」から「ＦＦｈ」に書き換える際、第２クロック信号ＣＬＫ２の１クロック毎に第１データ信号Ｄ１（＊）を１ビットずつ、最上位ビット（以下、ＭＳＢ［most  significant  bit］と呼ぶ）から最下位ビット（以下、ＬＳＢ［least  significant  bit］と呼ぶ）まで順次ラッチしていく場合における、第２データ信号Ｄ２（＊）の階調値（２進数、１６進数、１０進数）、及び、ソース信号Ｓ（＊）の出力波形が示されている。なお、図７では、第２クロック信号ＣＬＫ２が各ビット毎（Ｂｉｔ７〜Ｂｉｔ０）に分配された様子が描写されている。
【００５８】  各図で示したように、第１実施例のラッチ動作において、第２データ信号Ｄ２（＊）の階調値は、「００００００００ｂ（００ｈ）」を初期値として、第２クロック信号ＣＬＫ２の１クロック毎に、「１０００００００ｂ（８０ｈ）」→「１１００００００ｂ（Ｃ０ｈ）」→「１１１０００００ｂ（Ｅ０ｈ）」→「１１１１００００ｂ（Ｆ０ｈ）」→「１１１１１０００ｂ（Ｆ８ｈ）」→「１１１１１１００ｂ（ＦＣｈ）」→「１１１１１１１０ｂ（ＦＥｈ）」→「１１１１１１１１ｂ（ＦＦｈ）」と変化していき、これに伴って、ソース信号Ｓ（＊）の階調値は、「０ｄ」を初期値として、「１２８ｄ」→「１９２ｄ」→「２２４ｄ」→「２４０ｄ」→「２４８ｄ」→「２５２ｄ」→「２５４ｄ」→「２５５ｄ」と変化していく。
【００５９】  このように、第１実施例のラッチ動作では、従前のラッチ動作（先の第１比較例または第２比較例を参照）と異なり、第２ラッチ１３２（＊）による第１データＤ１（＊）のラッチタイミングがビット毎にずらされている。その結果、ソース信号Ｓ（＊）の階調値を段階的（分散的）に変化させることができるので、ソース信号Ｓ（＊）のスルーレートを引き下げることが可能となり、延いては、ＥＭＩのピークを低減することが可能となる。
【００６０】  なお、第１実施例のラッチ動作では、ソース信号Ｓ（＊）のセトリング時間Ｔ１を第２クロック信号ＣＬＫ２の８周期程度に設定することができる。このようなセトリング時間Ｔ１をアンプ１３４（＊）の出力調整によって設定することは困難である。
【００６１】＜第２実施例＞  図８と図９は、それぞれ、第２ラッチ１３２（＊）によるラッチ動作の第２実施例を示す図であり、具体的に述べると、第２データ信号Ｄ２（＊）を「００ｈ」から「ＦＦｈ」に書き換える際、第２クロック信号ＣＬＫ２の１クロック毎に第１データ信号Ｄ１（＊）を１ビットずつ、ＬＳＢからＭＳＢまで順次ラッチしていく場合における、第２データ信号Ｄ２（＊）の階調値（２進数、１６進数、１０進数）、及び、ソース信号Ｓ（＊）の出力波形が示されている。なお、図９では、第２クロック信号ＣＬＫ２が各ビット毎（Ｂｉｔ７〜Ｂｉｔ０）に分配された様子が描写されている。
【００６２】  各図で示したように、第２実施例のラッチ動作において、第２データ信号Ｄ２（＊）の階調値は、「００００００００ｂ（００ｈ）」を初期値として、第２クロック信号ＣＬＫ２の１クロック毎に、「０００００００１ｂ（０１ｈ）」→「００００００１１ｂ（０３ｈ）」→「０００００１１１ｂ（０７ｈ）」→「００００１１１１ｂ（０Ｆｈ）」→「０００１１１１１ｂ（１Ｆｈ）」→「００１１１１１１ｂ（３Ｆｈ）」→「０１１１１１１１ｂ（７Ｆｈ）」→「１１１１１１１１ｂ（ＦＦｈ）」と変化していき、これに伴い、ソース信号Ｓ（＊）の階調値は、「０ｄ」を初期値として、「１ｄ」→「３ｄ」→「７ｄ」→「１５ｄ」→「３１ｄ」→「６３ｄ」→「１２７ｄ」→「２５５ｄ」と変化していく。
【００６３】  このように、第２実施例のラッチ動作でも、先の第１実施例と同じく、第２ラッチ１３２（＊）による第１データＤ１（＊）のラッチタイミングがビット毎にずらされている。その結果、ソース信号Ｓ（＊）の階調値を段階的（分散的）に変化させることができるので、ソース信号Ｓ（＊）のスルーレートを引き下げることが可能となり、延いては、ＥＭＩのピークを低減することが可能となる。
【００６４】  なお、第２実施例のラッチ動作では、先の第１実施例と同じく、ソース信号Ｓ（＊）のセトリング時間Ｔ２を第２クロック信号ＣＬＫ２の８周期程度に設定することができる。このようなセトリング時間Ｔ２をアンプ１３４（＊）の出力調整によって設定することは困難である。
【００６５】＜第３実施例＞  図１０と図１１は、それぞれ、第２ラッチ１３２（＊）によるラッチ動作の第３実施例を示す図であり、具体的に述べると、第２データ信号Ｄ２（＊）を「ＦＦｈ」から「００ｈ」に書き換える際、第２クロック信号ＣＬＫ２の１クロック毎に、第１データ信号Ｄ１（＊）を１ビットずつＬＳＢからＭＳＢまで順次ラッチしていく場合における、第２データ信号Ｄ２（＊）の階調値（２進数、１６進数、１０進数）、及び、ソース信号Ｓ（＊）の出力波形が示されている。なお、図１１では、第２クロック信号ＣＬＫ２が各ビット毎（Ｂｉｔ７〜Ｂｉｔ０）に分配された様子が描写されている。
【００６６】  各図で示したように、第３実施例のラッチ動作において、第２データ信号Ｄ２（＊）の階調値は、「１１１１１１１１ｂ（ＦＦｈ）」を初期値として、第２クロック信号ＣＬＫ２の１クロック毎に、「１１１１１１１０ｂ（ＦＥｈ）」→「１１１１１１００ｂ（ＦＣｈ）」→「１１１１１０００ｂ（Ｆ８ｈ）」→「１１１１００００ｂ（Ｆ０ｈ）」→「１１１０００００ｂ（Ｅ０ｈ）」→「１１００００００ｂ（Ｃ０ｈ）」→「１０００００００ｂ（８０ｈ）」→「００００００００ｂ（００ｈ）」と変化していき、これに伴って、ソース信号Ｓ（＊）の階調値は、「２５５ｄ」を初期値として、「２５４ｄ」→「２５２ｄ」→「２４８ｄ」→「２４０ｄ」→「２２４ｄ」→「１９２ｄ」→「１２８ｄ」→「０ｄ」と変化していく。
【００６７】  このように、第３実施例のラッチ動作でも、先の第１実施例や第２実施例と同じく、第２ラッチ１３２（＊）による第１データＤ１（＊）のラッチタイミングがビット毎にずらされている。その結果、ソース信号Ｓ（＊）の階調値を段階的（分散的）に変化させることができるので、ソース信号Ｓ（＊）のスルーレートを引き下げることが可能となり、延いては、ＥＭＩのピークを低減することが可能となる。
【００６８】  なお、第３実施例のラッチ動作では、先の第１実施例や第２実施例と同じく、ソース信号Ｓ（＊）のセトリング時間Ｔ３を第２クロック信号ＣＬＫ２の８周期程度に設定することができる。このようなセトリング時間Ｔ３をアンプ１３４（＊）の出力調整によって設定することは困難である。
【００６９】＜第４実施例＞  図１２及び図１３は、それぞれ、第２ラッチ１３２（＊）によるラッチ動作の第４実施例を示す図であり、具体的に述べると、第２データ信号Ｄ２（＊）を「ＦＦｈ」から「００ｈ」に書き換える際、第２クロック信号ＣＬＫ２の１クロック毎に第１データ信号Ｄ１（＊）を１ビットずつＭＳＢからＬＳＢまで順次ラッチしていく場合における、第２データ信号Ｄ２（＊）の階調値（２進数、１６進数、１０進数）、及び、ソース信号Ｓ（＊）の出力波形が示されている。なお、図１３では、第２クロック信号ＣＬＫ２が各ビット毎（Ｂｉｔ７〜Ｂｉｔ０）に分配された様子が描写されている。
【００７０】  各図で示したように、第４実施例のラッチ動作において、第２データ信号Ｄ２（＊）の階調値は、「１１１１１１１１ｂ（ＦＦｈ）」を初期値として、第２クロック信号ＣＬＫ２の１クロック毎に、「０１１１１１１１ｂ（７Ｆｈ）」→「００１１１１１１ｂ（３Ｆｈ）」→「０００１１１１１ｂ（１Ｆｈ）」→「００００１１１１ｂ（０Ｆｈ）」→「０００００１１１ｂ（０７ｈ）」→「００００００１１ｂ（０３ｈ）」→「０００００００１ｂ（０１ｈ）」→「００００００００ｂ（００ｈ）」と変化していき、これに伴い、ソース信号Ｓ（＊）の階調値は、「２５５ｄ」を初期値として、「１２７ｄ」→「６３ｄ」→「３１ｄ」→「１５ｄ」→「７ｄ」→「３ｄ」→「１ｄ」→「０ｄ」と変化していく。
【００７１】  このように、第４実施例のラッチ動作でも、先の第１実施例〜第３実施例と同じく、第２ラッチ１３２（＊）による第１データＤ１（＊）のラッチタイミングがビット毎にずらされている。その結果、ソース信号Ｓ（＊）の階調値を段階的（分散的）に変化させることができるので、ソース信号Ｓ（＊）のスルーレートを引き下げることが可能となり、延いては、ＥＭＩのピークを低減することが可能となる。
【００７２】  なお、第４実施例のラッチ動作では、先の第１実施例〜第３実施例と同じく、ソース信号Ｓ（＊）のセトリング時間Ｔ４を第２クロック信号ＣＬＫ２の８周期程度に設定することができる。このようなセトリング時間Ｔ４をアンプ１３４（＊）の出力調整によって設定することは困難である。
【００７３】＜第５実施例＞  図１４及び図１５は、それぞれ、第２ラッチ１３２（＊）によるラッチ動作の第５実施例を示す図であり、具体的に述べると、第２データ信号Ｄ２（＊）を「００ｈ」から「ＦＦｈ」に書き換える際、第２クロック信号ＣＬＫ２の２クロック毎に第１データ信号Ｄ１（＊）を１ビットずつＭＳＢからＬＳＢまで順次ラッチしていく場合における、第２データ信号Ｄ２（＊）の階調値（２進数、１６進数、１０進数）、及び、ソース信号Ｓ（＊）の出力波形が示されている。
【００７４】  各図で示したように、第５実施例のラッチ動作において、第２データ信号Ｄ２（＊）の階調値は、「００００００００ｂ（００ｈ）」を初期値として、第２クロック信号ＣＬＫ２の２クロック毎に、「１０００００００ｂ（８０ｈ）」→「１１００００００ｂ（Ｃ０ｈ）」→「１１１０００００ｂ（Ｅ０ｈ）」→「１１１１００００ｂ（Ｆ０ｈ）」→「１１１１１０００ｂ（Ｆ８ｈ）」→「１１１１１１００ｂ（ＦＣｈ）」→「１１１１１１１０ｂ（ＦＥｈ）」→「１１１１１１１１ｂ（ＦＦｈ）」と変化していき、これに伴って、ソース信号Ｓ（＊）の階調値は、「０ｄ」を初期値として、「１２８ｄ」→「１９２ｄ」→「２２４ｄ」→「２４０ｄ」→「２４８ｄ」→「２５２ｄ」→「２５４ｄ」→「２５５ｄ」と変化していく。
【００７５】  このように、第５実施例のラッチ動作では、先の第１実施例（図６及び図７を参照）と比べて、ソース信号Ｓ（＊）の階調値をより緩やかに変化させることができる。従って、ソース信号Ｓ（＊）のセトリング時間に余裕がある場合には、第５実施例のラッチ動作を採用することにより、ソース信号Ｓ（＊）のスルーレートをさらに引き下げることが可能となり、延いては、ＥＭＩのピークを一層低減することが可能となる。
【００７６】  なお、第５実施例のラッチ動作では、ソース信号Ｓ（＊）のセトリング時間Ｔ５を第２クロック信号ＣＬＫ２の１６周期程度（＝第１実施例のラッチ動作におけるセトリング時間Ｔ１の約２倍）に設定することができる。このようなセトリング時間Ｔ５をアンプ１３４（＊）の出力調整によって設定することは極めて困難である。
【００７７】＜第６実施例＞  図１６及び図１７は、それぞれ、第２ラッチ１３２（＊）によるラッチ動作の第６実施例を示す図であり、具体的に述べると、第２データ信号Ｄ２（＊）を「００ｈ」から「ＦＦｈ」に書き換える際、第２クロック信号ＣＬＫ２の２クロック毎に第１データ信号Ｄ１（＊）を１ビットずつＬＳＢからＭＳＢまで順次ラッチしていく場合における、第２データ信号Ｄ２（＊）の階調値（２進数、１６進数、１０進数）、及び、ソース信号Ｓ（＊）の出力波形が示されている。
【００７８】  各図で示したように、第６実施例のラッチ動作において、第２データ信号Ｄ２（＊）の階調値は、「００００００００ｂ（００ｈ）」を初期値として、第２クロック信号ＣＬＫ２の２クロック毎に、「０００００００１ｂ（０１ｈ）」→「００００００１１ｂ（０３ｈ）」→「０００００１１１ｂ（０７ｈ）」→「００００１１１１ｂ（０Ｆｈ）」→「０００１１１１１ｂ（１Ｆｈ）」→「００１１１１１１ｂ（３Ｆｈ）」→「０１１１１１１１ｂ（７Ｆｈ）」→「１１１１１１１１ｂ（ＦＦｈ）」と変化していき、これに伴い、ソース信号Ｓ（＊）の階調値は、「０ｄ」を初期値として、「１ｄ」→「３ｄ」→「７ｄ」→「１５ｄ」→「３１ｄ」→「６３ｄ」→「１２７ｄ」→「２５５ｄ」と変化していく。
【００７９】  このように、第６実施例のラッチ動作では、先の第２実施例（図８及び図９を参照）と比べて、ソース信号Ｓ（＊）の階調値をより緩やかに変化させることができる。従って、ソース信号Ｓ（＊）のセトリング時間に余裕がある場合には、第６実施例のラッチ動作を採用することにより、ソース信号Ｓ（＊）のスルーレートをさらに引き下げることが可能となり、延いては、ＥＭＩのピークを一層低減することが可能となる。
【００８０】  なお、第６実施例のラッチ動作では、先の第５実施例と同様、ソース信号Ｓ（＊）のセトリング時間Ｔ６を第２クロック信号ＣＬＫ２の１６周期程度（＝第２実施例のラッチ動作におけるセトリング時間Ｔ２の約２倍）に設定することができる。このようなセトリング時間Ｔ６をアンプ１３４（＊）の出力調整により設定することは極めて困難である。
【００８１】  また、第５実施例ないし第６実施例のラッチ動作では、第２クロック信号ＣＬＫ２が２クロック入力される毎に、第１データ信号Ｄ１（＊）を１ビットずつラッチする構成を例に挙げたが、ソース信号Ｓ（＊）のスルーレートをさらに引き下げる必要があれば、第２クロック信号ＣＬＫ２が３クロック（またはそれ以上の複数クロック）入力される毎に、第１データ信号Ｄ１（＊）を１ビットずつラッチする構成としても構わない。
【００８２】＜第７実施例＞  図１８及び図１９は、それぞれ、第２ラッチ１３２（＊）によるラッチ動作の第７実施例を示す図であり、具体的に述べると、第２データ信号Ｄ２（＊）を「００ｈ」から「ＦＦｈ」に書き換える際、第２クロック信号ＣＬＫ２の１クロック毎に第１データ信号Ｄ１（＊）を２ビットずつＭＳＢからＬＳＢまで順次ラッチしていく場合における、第２データ信号Ｄ２（＊）の階調値（２進数、１６進数、１０進数）、及び、ソース信号Ｓ（＊）の出力波形が示されている。
【００８３】  各図で示したように、第７実施例のラッチ動作において、第２データ信号Ｄ２（＊）の階調値は、「００００００００ｂ（００ｈ）」を初期値として、第２クロック信号ＣＬＫ２の１クロック毎に、「１１００００００ｂ（Ｃ０ｈ）」→「１１１１００００ｂ（Ｆ０ｈ）」→「１１１１１１００ｂ（ＦＣｈ）」→「１１１１１１１１ｂ（ＦＦｈ）」と変化していき、これに伴い、ソース信号Ｓ（＊）の階調値は、「０ｄ」を初期値として、「１９２ｄ」→「２４０ｄ」→「２５２ｄ」→「２５５ｄ」と変化していく。
【００８４】  このように、第７実施例のラッチ動作では、先の第１実施例（図６及び図７を参照）と比べて、ソース信号Ｓ（＊）の階調値をより急峻に変化させることができる。従って、ソース信号Ｓ（＊）のセトリング時間に余裕がない場合には、第７実施例のラッチ動作を採用することにより、ソース信号Ｓ（＊）のスルーレートをその許容範囲内で引き下げることができるので、ＥＭＩのピークを適切に低減することが可能となる。
【００８５】  なお、第７実施例のラッチ動作であれば、ソース信号Ｓ（＊）のセトリング時間Ｔ７を第２クロック信号ＣＬＫ２の４周期程度（＝第１実施例のラッチ動作におけるセトリング時間Ｔ１の約１／２倍）に設定することができる。
【００８６】＜第８実施例＞  図２０及び図２１は、それぞれ、第２ラッチ１３２（＊）によるラッチ動作の第８実施例を示す図であり、具体的に述べると、第２データ信号Ｄ２（＊）を「００ｈ」から「ＦＦｈ」に書き換える際、第２クロック信号ＣＬＫ２の１クロック毎に第１データ信号Ｄ１（＊）を２ビットずつＬＳＢからＭＳＢまで順次ラッチしていく場合における、第２データ信号Ｄ２（＊）の階調値（２進数、１６進数、１０進数）、及び、ソース信号Ｓ（＊）の出力波形が示されている。
【００８７】  各図で示したように、第８実施例のラッチ動作において、第２データ信号Ｄ２（＊）の階調値は、「００００００００ｂ（００ｈ）」を初期値として、第２クロック信号ＣＬＫ２の２クロック毎に、「００００００１１ｂ（０３ｈ）」→「００００１１１１ｂ（０Ｆｈ）」→「００１１１１１１ｂ（３Ｆｈ）」→「１１１１１１１１ｂ（ＦＦｈ）」と変化していき、これに伴い、ソース信号Ｓ（＊）の階調値は、「０ｄ」を初期値として、「３ｄ」→「１５ｄ」→「６３ｄ」→「２５５ｄ」と変化していく。
【００８８】  このように、第８実施例のラッチ動作では、先の第２実施例（図８及び図９を参照）と比べて、ソース信号Ｓ（＊）の階調値をより急峻に変化させることができる。従って、ソース信号Ｓ（＊）のセトリング時間に余裕がない場合には、第８実施例のラッチ動作を採用することにより、ソース信号Ｓ（＊）のスルーレートをその許容範囲内で引き下げることができるので、ＥＭＩのピークを適切に低減することが可能となる。
【００８９】  なお、第８実施例のラッチ動作であれば、先の第７実施例と同様、ソース信号Ｓ（＊）のセトリング時間Ｔ８を第２クロック信号ＣＬＫ２の４周期程度（＝第２実施例のラッチ動作におけるセトリング時間Ｔ２の約１／２倍）に設定することができる。
【００９０】  また、第７実施例ないし第８実施例のラッチ動作では、第２クロック信号ＣＬＫ２が１クロック入力される毎に、第１データ信号Ｄ１（＊）を２ビットずつラッチする構成を例に挙げたが、ソース信号Ｓ（＊）のスルーレートをさらに引き上げる必要があれば、第２クロック信号ＣＬＫ２が１クロック入力される毎に、第１データ信号Ｄ１（＊）を３ビット（またはそれ以上の複数ビット）ずつラッチする構成としても構わない。
【００９１】＜第９実施例＞  図２２と図２３は、それぞれ、第２ラッチ１３２（＊）によるラッチ動作の第９実施例を示す図であり、具体的に述べると、第２データ信号Ｄ２（＊）を「００ｈ」から「ＦＦｈ」に書き換える際、第２クロック信号ＣＬＫ２の１クロック毎に、第１データ信号Ｄ１（＊）の各ビットのうち、未ラッチの最上位ビットと最下位ビットを同時に２ビットずつラッチしていく場合における、第２データ信号Ｄ２（＊）の階調値（２進数、１６進数、１０進数）、及び、ソース信号Ｓ（＊）の出力波形が示されている。
【００９２】  各図で示したように、第９実施例のラッチ動作において、第２データ信号Ｄ２（＊）の階調値は、「００００００００ｂ（００ｈ）」を初期値として、第２クロック信号ＣＬＫ２の１クロック毎に、「１００００００１ｂ（８１ｈ）」→「１１００００１１ｂ（Ｃ３ｈ）」→「１１１００１１１ｂ（Ｅ７ｈ）」→「１１１１１１１１ｂ（ＦＦｈ）」と変化していき、これに伴い、ソース信号Ｓ（＊）の階調値は、「０ｄ」を初期値として、「１２９ｄ」→「１９５ｄ」→「２３１ｄ」→「２５５ｄ」と変化していく。
【００９３】  このように、第９実施例のラッチ動作では、未ラッチの最上位ビットと最下位ビットとの組み合わせ（より具体的には、Ｂｉｔ７＋Ｂｉｔ０、Ｂｉｔ６＋Ｂｉｔ１、Ｂｉｔ５＋Ｂｉｔ２、Ｂｉｔ４＋Ｂｉｔ３）が順次ラッチされていく。従って、ソース信号Ｓ（＊）の階調値が殆ど変化しない期間（＝下位ビットが単独でラッチされる期間）をなくすことができるので、１クロック当たりの階調値変化量のばらつきを緩和することができる。
【００９４】  なお、第９実施例のラッチ動作では、先の第７実施例や第８実施例と同じく、ソース信号Ｓ（＊）のセトリング時間Ｔ９を第２クロック信号ＣＬＫ２の４周期程度に設定することができる。従って、ソース信号Ｓ（＊）のセトリング時間に余裕がない場合であってもソース信号Ｓ（＊）のスルーレートをその許容範囲内で引き下げることにより、ＥＭＩのピークを適切に低減することが可能となる。
【００９５】＜第１０実施例＞  図２４及び図２５は、それぞれ、第２ラッチ１３２（＊）によるラッチ動作の第１０実施例を示す図であり、より具体的に述べると、第２データ信号Ｄ２（＊）を「００ｈ」から「ＦＦｈ」に書き換える際、第１データ信号Ｄ１（＊）の上位２ビットについては、第２クロック信号ＣＬＫ２の１クロック毎に１ビットずつラッチしていく一方、第１データ信号Ｄ１（＊）の下位６ビットについては、３ビットずつラッチしていく場合における、第２データ信号Ｄ２（＊）の階調値（２進数、１６進数、１０進数）、及び、ソース信号Ｓ（＊）の出力波形が示されている。
【００９６】  各図で示したように、第１０実施例のラッチ動作において、第２データ信号Ｄ２（＊）の階調値は、「００００００００ｂ（００ｈ）」を初期値として、第２クロック信号ＣＬＫ２の１クロック毎に、「１０００００００ｂ（８０ｈ）」→「１１００００００ｂ（Ｃ０ｈ）」→「１１１１１０００ｂ（Ｆ８ｈ）」→「１１１１１１１１ｂ（ＦＦｈ）」と変化していき、これに伴って、ソース信号Ｓ（＊）の階調値は、「０ｄ」を初期値として、「１２８ｄ」→「１９２ｄ」→「２４８ｄ」→「２５５ｄ」と変化していく。
【００９７】  このように、第１０実施例のラッチ動作では、第１データ信号Ｄ１（＊）の各ビットのうち、下位のものほど同時ラッチ数が増やされている。従って、先の第９実施例と同様、ソース信号Ｓ（＊）の階調値が殆ど変化しない期間（＝下位ビットが単独でラッチされる期間）をなくすことができるので、１クロック当たりの階調値変化量のばらつきを緩和することができる。
【００９８】  なお、第１０実施例のラッチ動作では、先の第７実施例〜第９実施例と同じく、ソース信号Ｓ（＊）のセトリング時間Ｔ１０を第２クロック信号ＣＬＫ２の４周期程度に設定することができる。従って、ソース信号Ｓ（＊）のセトリング時間に余裕がない場合であっても、ソース信号Ｓ（＊）のスルーレートをその許容範囲内で引き下げることにより、ＥＭＩのピークを適切に低減することが可能となる。
【００９９】＜ラッチ動作の変形例＞  なお、これまでに説明してきた種々の実施例では、第２ラッチ１３２（＊）によるラッチ動作として、１クロック毎に１ビットずつ、または、複数クロック毎に１ビットずつ、或いは、１クロック毎に複数ビットずつ、第１データ信号Ｄ１（＊）をビット単位でラッチする構成を例に挙げたが、その技術的思想をさらに拡張し、第１データ信号Ｄ１（＊）を複数クロック毎に複数ビットずつ（例えば２クロック毎に３ビットずつ）ラッチしてもよいことは、これ以上の実施例を挙げなくても、容易に理解されるところである。
【０１００】  また、これまでに説明してきた種々の実施例は、それぞれの動作に矛盾が生じない範囲で任意に組み合わせることができる。例えば、第２ラッチ１３２（＊）により第１データＤ１（＊）をラッチするラッチ動作期間のうち、前半は第１実施例のラッチ動作（ＭＳＢ→ＬＳＢ）を行い、後半は第２実施例のラッチ動作（ＬＳＢ→ＭＳＢ）を行ってもよい。また、例えば、第２ラッチ１３２（＊）のラッチ動作期間を第１期間〜第３期間に３分割し、第１期間では第１実施例のラッチ動作（１クロック１ビット）を行い、第２期間では第５実施例のラッチ動作（２クロック１ビット）を行い、第３期間では第７実施例のラッチ動作（１クロック２ビット）を行うこともできる。
【０１０１】  このようなラッチ動作の実施例や変形例を鑑みると、第２ラッチ１３２（＊）は、第１データ信号Ｄ１（＊）をビット単位で複数回に分けてラッチすることにより、第２データ信号Ｄ２（＊）を出力する構成でありさえすればよく、そのラッチ動作期間におけるビット遷移の組み合わせについては、自由に決めても構わないことが分かる。
【０１０２】  例えば、第１０実施例のラッチ動作には、１つ目のクロックに同期して最上位ビットのみをラッチし、２つ目のクロックに同期して残り全てのビットをラッチすることにより、第１データ信号Ｄ１（＊）を２回に分けてラッチする動作も含まれている。
【０１０３】  また、例えば、第１０実施例のラッチ動作では、第１データ信号Ｄ１（＊）の各ビットのうち、下位のものほど同時ラッチ数を増やす構成としたが、これとは反対に、上位のものほど同時ラッチ数を増やす構成についても、これを本発明の権利範囲から意識的に除外するものではない。
【０１０４】＜設定切替制御＞  図２６は、第２ラッチ１３２（＊）によるラッチ動作の設定切替制御の一例を示す図であり、本図では、第５実施例のラッチ動作によるソース出力波形を設定Ａとし、第６実施例のラッチ動作によるソース出力波形を設定Ｂとして、それぞれのソース出力波形が重畳的に描写されている。
【０１０５】  本図から明らかなように、第２ラッチ１３２（＊）によるラッチ動作の設定が違えば、当然ながら、ソース出力波形も相違したものとなる。従って、例えば、Ｎ列の第２ラッチ１３２（１）〜１３２（Ｎ）について、隣り合う列同士で設定Ａと設定Ｂを交互に用いたり、或いは、所定期間（例えば水平期間または垂直期間）毎に設定Ａと設定Ｂを交互に切り替えたりすれば、ＥＭＩの周波数成分を拡散することができるので、そのピークをさらに低減することが可能となる。
【０１０６】＜ソースドライバ（第２基本動作）＞  図２７は、ソースドライバ１３０の第２基本動作（時分割ラッチ動作）を示すタイミングチャートであり、上から順に、水平同期信号ＨＳ、第１クロック信号ＣＬＫ１（１）〜ＣＬＫ１（Ｎ）、第１ラッチ格納データ、データイネーブル信号ＤＥ、及び、第２クロック信号ＣＬＫ２（１）〜ＣＬＫ２（Ｋ）が描写されている。
【０１０７】  先出の第１基本動作（図２）では、第２クロック信号ＣＬＫ２に同期して、第２ラッチ１３２（１）〜１３２（Ｎ）のラッチ動作が全列一斉に開始されていた。これに対して、第２基本動作を採用したソースドライバ１３０では、Ｎ列の第２ラッチ１３２（１）〜１３２（Ｎ）がＫ組（ただしＫ≧２）に分けられており、第２クロック信号ＣＬＫ２（１）〜ＣＬＫ２（Ｋ）に同期して、各組毎のラッチ動作がタイミングをずらして開始される。
【０１０８】  例えば、第２ラッチ１３２（１）〜１３２（Ｎ）のうち、第１列目〜第１２０列目は、第２クロック信号ＣＬＫ２（１）に同期してラッチ動作を開始し、第１２１列目〜第２４０列目は、第２クロック信号ＣＬＫ２（２）に同期してラッチ動作を開始する。以降の列も同様であり、第（Ｎ−１９９）列目〜第Ｎ列目は、第２クロック信号ＣＬＫ２（Ｋ）に同期してラッチ動作を開始する。
【０１０９】  このような時分割ラッチ動作を行えば、ソース信号Ｓ（１）〜Ｓ（Ｎ）のうち、階調値の一斉変化量を１／Ｋに削減することができるので、ＥＭＩのピークをさらに低減することが可能となる。
【０１１０】  なお、上記の時分割ラッチ動作と併せて、これまでに説明してきたビット単位のラッチ動作（第１〜第１０実施例を参照）を適用する場合、各組のラッチ動作期間Ｔ（１）〜Ｔ（Ｋ）は、前後の組同士で分離されていてもよいし（図２８を参照）、或いは、前後の組同士でその一部が重複していてもよい（図２９を参照）。
【０１１１】  すなわち、１水平期間内の画像データが全て第１ラッチ１３１（１）〜１３１（Ｎ）に格納されてから、次の水平期間が開始されるまでの間（＝水平ブランキング期間内）に、第２ラッチ１３２（１）〜１３２（Ｎ）のラッチ動作が完了する限り、ラッチ動作期間Ｔ（１）〜Ｔ（Ｋ）の重複や順序について特段の制約はない。
【０１１２】＜車載ディスプレイ＞  これまでに説明してきた表示装置１は、特に車載ディスプレイに適用することが好適である。車載ディスプレイは、例えば、図３０に示した車載ディスプレイＸ１〜Ｘ３のように、車両Ｘにおける運転席前方のダッシュボードに設けられる。
【０１１３】  例えば、車載ディスプレイＸ１は、スピードメータ、タコメータ等を表示するインパネ（instrument  panel：ダッシュボードに組み付けられる計器盤）として機能する。車載ディスプレイＸ２は、燃料計、燃費計、シフトポジション等を表示する。車載ディスプレイＸ３は、車両の現在位置情報、目的地までの経路情報等を表示するナビゲーション機能を有すると共に、車両後方の撮像画像を表示するバックモニタ機能も有する。
【０１１４】  このように、昨今の車両には、従来のカーナビゲーション装置に加えて、全面的に液晶表示を行うインパネや、車両後方の画像を表示するバックモニタなどのアプリケーションが搭載されるようになってきており、その解像度も益々高くなってきている。
【０１１５】  その点、先述の表示装置１であれば、その低ＥＭＩ化が図られているので、他の車載機器に及ぼす影響を最小限に抑えて、車両の安全運行に寄与することが可能となる。
【０１１６】  ただし、表示装置１の適用対象はこれに限定されるものではなく、種々のアプリケーション（民生機器、車載機器、ないしは、産業機器など）に適用することが可能である。
【０１１７】＜その他の変形例＞  また、本明細書中に開示されている種々の技術的特徴は、上記実施形態のほか、その技術的創作の主旨を逸脱しない範囲で種々の変更を加えることが可能である。すなわち、上記実施形態は、全ての点で例示であって制限的なものではないと考えられるべきであり、本発明の技術的範囲は、上記実施形態の説明ではなく、特許請求の範囲によって示されるものであり、特許請求の範囲と均等の意味及び範囲内に属する全ての変更が含まれると理解されるべきである。
【産業上の利用可能性】
【０１１８】  本明細書中に開示されている発明は、例えば、車載ディスプレイ用のドライバＩＣに利用することが可能である。
【符号の説明】
【０１１９】      １    表示装置      １００    パネル駆動装置（ドライバＩＣ）      １１０    インタフェイス      １２０    タイミングコントローラ      １３０    ソースドライバ      １３１    第１ラッチ      １３２    第２ラッチ      １３３    ＤＡＣ      １３４    アンプ      １４０    ゲートドライバ      １５０    コマンドレジスタ      ２００    表示パネル      ３００    ホストコントローラ      Ｘ    車両      Ｘ１〜Ｘ３    車載ディスプレイ
【図１】
0006633757.tif 000002
【図２】
0006633757.tif 000003
【図３】
0006633757.tif 000004
【図４】
0006633757.tif 000005
【図５】
0006633757.tif 000006
【図６】
0006633757.tif 000007
【図７】
0006633757.tif 000008
【図８】
0006633757.tif 000009
【図９】
0006633757.tif 000010
【図１０】
0006633757.tif 000011
【図１１】
0006633757.tif 000012
【図１２】
0006633757.tif 000013
【図１３】
0006633757.tif 000014
【図１４】
0006633757.tif 000015
【図１５】
0006633757.tif 000016
【図１６】
0006633757.tif 000017
【図１７】
0006633757.tif 000018
【図１８】
0006633757.tif 000019
【図１９】
0006633757.tif 000020
【図２０】
0006633757.tif 000021
【図２１】
0006633757.tif 000022
【図２２】
0006633757.tif 000023
【図２３】
0006633757.tif 000024
【図２４】
0006633757.tif 000025
【図２５】
0006633757.tif 000026
【図２６】
0006633757.tif 000027
【図２７】
0006633757.tif 000028
【図２８】
0006633757.tif 000029
【図２９】
0006633757.tif 000030
【図３０】
0006633757.tif 000031